【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
プレイリスト情報を構成する主たる再生区間情報と従たる再生区間情報に従って、プライマリビデオストリーム及びセカンダリビデオストリームを用いたピクチャインピクチャ再生を行う再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーが記述されており、
カレントのセカンダリビデオストリームの番号を格納するストリーム番号レジスタと、
セカンダリビデオストリームの再生時に処理することができる表示方式を示すケーパビリティレジスタと、を備え、
カレントの再生区間情報が変化した際、前記ストリーム番号レジスタによって示されるカレントのセカンダリビデオストリームが、所定の第１の条件を満たすかどうか、所定の第２の条件を満たすかどうかを判定して、判定結果に応じてストリーム番号レジスタにおけるストリーム番号を維持するかどうかを決定し、
前記所定の第１の条件とは、カレントのセカンダリビデオストリームの表示方式を処理することができる旨が前記ケーパビリティレジスタにおいて示されているという条件であり、
前記所定の第２の条件とは、カレントのセカンダリビデオストリームが非同期で再生される条件であり、
前記ストリーム番号レジスタにおけるセカンダリビデオストリームのストリーム番号を維持するのは、カレントのセカンダリビデオストリーム番号が、第１の条件を満たすが、第２の条件を満たさないと判定した場合である
ことを特徴とする再生装置。
【請求項２】
ストリーム番号レジスタに格納されているカレントのセカンダリビデオストリームが第１条件を満たさない場合、
ストリームエントリーテーブルのエントリーに示される複数プライマリビデオストリームのそれぞれが、第１条件を満たすかどうかの判定と、
第１条件を満たすと判定された複数のセカンダリビデオストリームのうち、ストリームエントリーテーブルの複数エントリーにおいて先頭の順位に位置するものが第２条件を満たすかどうか判定とを実行し、
第１条件を満たすセカンダリビデオストリームが1つ以上存在するが、これらのセカンダリビデオストリームのうち、ストリームエントリーテーブルの複数エントリーにおいて先頭順位に位置するものが第２条件を満たさない場合、第１条件を満たすと判定された複数のセカンダリビデオストリームのうち、ストリームエントリーテーブルの複数エントリーにおいて先頭の順位に位置するもののストリーム番号をストリーム番号レジスタに書き込み、
第１条件を満たすセカンダリビデオストリームが1つ以上存在するが、これらのセカンダリビデオストリームのうち、ストリームエントリーテーブルの複数エントリーにおいて先頭順位に位置するものが第２条件を満たす場合、変更要求により新たなストリーム番号を設定することができる、非選択状態を示す有効なストリーム番号（０ＸＦＥ）をストリーム番号レジスタに書き込む
ことを特徴とする請求項１記載の再生装置。
【請求項３】
カレントのセカンダリビデオストリーム番号をストリーム番号Ｘに変更することが要求された場合、
変更に係るストリーム番号Ｘに対応するセカンダリビデオストリームが前記第１の条件を満たすか否かを判定し、満たすと判定した場合、ストリーム番号Ｘをカレントのセカンダリビデオストリーム番号としてストリーム番号レジスタに書き込み、満たさないと判定した場合、ストリーム番号レジスタにおけるカレントのストリーム番号を維持するというものである、請求項１記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００７
【補正方法】変更
【補正の内容】
【０００７】
しかしながら、ストリームエントリーテーブルは再生区間情報毎に存在しており、再生区間情報が変われば、再生可能なエレメンタリストリームも変わってしまうという問題があった。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の目的は、ストリーム番号レジスタの設定値を最適にすることができる再生装置を提供することである。
【手続補正６】
【補正対象書類名】明細書
【補正対象項目名】００１０
【補正方法】変更
【補正の内容】
【００１０】
上記目的を達成するため、本発明にかかる再生装置は、プレイリスト情報を構成する主たる再生区間情報と従たる再生区間情報に従って、プライマリビデオストリーム及びセカンダリビデオストリームを用いたピクチャインピクチャ再生を行う再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーが記述されており、
カレントのセカンダリビデオストリームの番号を格納するストリーム番号レジスタと、
セカンダリビデオストリームの再生時に処理することができる表示方式を示すケーパビリティレジスタと、を備え、
カレントの再生区間情報が変化した際、前記ストリーム番号レジスタによって示されるカレントのセカンダリビデオストリームが、所定の第１の条件を満たすかどうか、所定の第２の条件を満たすかどうかを判定して、判定結果に応じてストリーム番号レジスタにおけるストリーム番号を維持するかどうかを決定し、
前記所定の第１の条件とは、カレントのセカンダリビデオストリームの表示方式を処理することができる旨が前記ケーパビリティレジスタにおいて示されているという条件であり、
前記所定の第２の条件とは、カレントのセカンダリビデオストリームが非同期で再生される条件であり、
前記ストリーム番号レジスタにおけるセカンダリビデオストリームのストリーム番号を維持するのは、カレントのセカンダリビデオストリーム番号が、第１の条件を満たすが、第２の条件を満たさないと判定した場合であることを特徴としている。
【手続補正７】
【補正対象書類名】明細書
【補正対象項目名】００１１
【補正方法】変更
【補正の内容】
【００１１】
ストリームエントリーテーブルは再生区間情報毎に存在しており、再生区間情報が変われば、再生可能なエレメンタリストリームも変わってしまう。そこで本発明では、再生区間情報毎に、プロシージャを実行して再生区間情報毎に最適な設定値をストリーム番号レジスタに設定する。これにより、カレントのセカンダリビデオストリーム番号が適性であることを保障することができる。
【手続補正８】
【補正対象書類名】明細書
【補正対象項目名】００１２
【補正方法】削除
【補正の内容】